(57)【要約】      （修正有）【課題】どのような厚さのパネルに対しても容易に固定できるパネル計器を提供する。【解決手段】パネル２０に固定されたときに、このパネル２０と対向する背面板６を有するインタフェース部１と、パネル２０と対向する背面板６に対して着脱自在に取り付けられ、インタフェース部１をパネル２０に固定する複数の固定部材３０とを備える。【選択図】図２
2016114369.tif 000002
【特許請求の範囲】
【請求項１】
パネルに固定されたときに、このパネルと対向する背面板を有するインタフェース部と、
前記パネルと対向する前記背面板に対して着脱自在に取り付けられ、前記インタフェース部を前記パネルに固定する複数の固定部材と
を備えることを特徴とするパネル計器。
【請求項２】
前記複数の固定部材は、前記背面板に取り付けられたとき、当該背面板から突出した雄ネジまたは雌ネジからなるネジ部を有する
ことを特徴とする請求項１に記載のパネル計器。
【請求項３】
前記複数の固定部材は、前記背面板に取り付けられたとき、当該背面板の表面に露出した磁石部を有する
ことを特徴とする請求項１に記載のパネル計器。
【請求項４】
前記複数の固定部材は、前記背面板に取り付けられたとき、当該背面板から突出した雄ネジまたは雌ネジからなるネジ部および当該背面板の表面に露出した磁石部を有する
ことを特徴とする請求項１に記載のパネル計器。
【請求項５】
前記背面板は、前記複数の固定部材を着脱自在に取り付ける複数の取付部を有し、
前記複数の取付部は、前記複数の固定部材が取り付けられたとき、前記インタフェース部の外周端から前記複数の固定部材が突出することのない前記背面板の表面上の任意の位置に設けられている
ことを特徴とする請求項２乃至４いずれか１項に記載のパネル計器。
【発明の詳細な説明】
【技術分野】
【０００１】
本発明は、パネル計器に関するものである。
【背景技術】
【０００２】
従来、パネルに組み込んで使用され、各種機器を制御する例えばシーケンサ等の制御装置（以下、これを「パネル計器」という。）が知られている。このパネル計器の一例を図１２に示す。
【０００３】
図１２に示すパネル計器１００は、回路基板等を内蔵した筐体１０１を備え、この筐体１０１の一つの面には、温度、圧力、流量等の所定のパラメータを設定する操作部およびシーケンサが制御する制御機器の状態等を表示する表示部を備えたインタフェース部１０２が設けられている。
【０００４】
このようなパネル計器１００は、筺体１０１の側面に固定された取付器具１１０を用いて、インタフェース部１０２がパネル２００の前面から露出するように開口２０１を介して当該パネル２００に固定される（例えば、特許文献１、２参照。）。このようなパネル計器１００のパネル２００に対する固定方法について、以下説明する。
【０００５】
インタフェース部１０２が設けられた筐体１０１の面とは反対側の面１０１ｂをパネル２００の前面２００ａ側から開口２０１に挿入する。続いて、パネル２００の背面側に位置する筐体１０１の側面に取付器具１１０を固定する。
【０００６】
この取付器具１１０は、筺体１０１の側面に固定される固定部材１１１と、この固定部材１１１に軸部が支持されたネジ１１２とにより構成されている。このような構成の取付器具１１０におけるネジ１１２の先端部をパネル２００の背面と対向させる。
【０００７】
そして、固定部材１１１のネジ１１２を締め付けることにより、当該ネジ１１２の先端部をパネル２００の後面に押し当て、ネジ１１２の先端部とインタフェース部１０２の縁部との間で当該パネル２００を挟み付ける。これにより、パネル計器１００はパネル２００に固定される。
【先行技術文献】
【特許文献】
【０００８】
【特許文献１】特開２００７−１３２８２７号公報
【特許文献２】特開２０１０−２７１１９５号公報
【発明の概要】
【発明が解決しようとする課題】
【０００９】
ところで、上述したように、従来のパネル計器１００を専用の取付器具１１０によりパネル２００に固定する場合、筺体１０１の側面に対する固定部材１１１の位置およびネジ１１２の長さによって当該ネジ１１２の先端部とインタフェース部１０２の縁部との間で挟み付けるパネル２００の厚さが限定されてしまうという問題があった。
【００１０】
本発明はこのような問題を解決するためのものであり、どのような厚さのパネルに対しても容易に固定できるパネル計器を提供することを目的とする。
【課題を解決するための手段】
【００１１】
この目的を達成するために、本発明は、パネル（２０）に固定されたときに、このパネル（２０）と対向する背面板（６）を有するインタフェース部（１）と、前記パネル（２０）と対向する前記背面板（６）に対して着脱自在に取り付けられ、前記インタフェース部（１）を前記パネル（２０）に固定する複数の固定部材（３０、３３、３６）とを備えるようにする。
【００１２】
本発明において、前記複数の固定部材（３０、３３、３６）は、前記背面板（６）に取り付けられたとき、当該背面板（６）から突出した雄ネジまたは雌ネジからなるネジ部（３２、３５）を有するようにする。
【００１３】
本発明において、前記複数の固定部材（３０、３３、３６）は、前記背面板（６）に取り付けられたとき、当該背面板（６）の表面（６ａ）から露出した磁石部（３８）を有するようにする。
【００１４】
本発明において、前記複数の固定部材（３０、３３、３６）は、前記背面板（６）に取り付けられたとき、当該背面板（６）から突出した雄ネジまたは雌ネジからなるネジ部（３２、３５）および当該背面板（６）の表面に露出した磁石部（３８）を有するようにする。
【００１５】
本発明において、前記背面板（６）は、前記複数の固定部材（３０、３３、３６）を着脱自在に取り付ける複数の取付部（１０、１２）を有し、前記複数の取付部（１０、１２）は、前記複数の固定部材（３０、３３、３６）が取り付けられたとき、前記インタフェース部（１）の外周端から前記複数の固定部材（３０、３３、３６）が突出することのない前記背面板（６）の表面（６ａ）上の任意の位置に設けられているようにする。
【発明の効果】
【００１６】
本発明によれば、インタフェース部（１）の背面板（６）に対して複数の固定部材（３０、３３、３６）を着脱自在に取り付けることができるので、パネル（２０）の厚さに合わせた複数の固定部材（３０、３３、３６）を背面板（６）に取り付ければ、どのような厚さのパネル（２０）に対してもインタフェース部（１）を容易に固定することができる。
【図面の簡単な説明】
【００１７】
【図１】本発明の第１の実施の形態において正面側から見たパネル計器の構成を示す斜視図である。
【図２】本発明の第１の実施の形態において背面側から見たパネル計器の構成を示す斜視図である。
【図３】本発明の第１の実施の形態に係るパネル計器の背面構造を示す斜視図である。
【図４】本発明の第１の実施の形態に係る雄ネジタイプの固定部材の構成を示す斜視図、正面図および上面図である。
【図５】本発明の第１の実施の形態においてパネルに装着されたパネル計器を正面側および背面側から見た状態を示す斜視図である。
【図６】本発明の第１の実施の形態においてパネルに装着されたパネル計器を正面側および側面側から見た状態を示す斜視図である。
【図７】本発明の第２の実施の形態において背面側から見たパネル計器の構成を示す斜視図である。
【図８】本発明の第２の実施の形態における磁石タイプの固定部材の構成を示す斜視図、正面図および上面図である。
【図９】他の実施の形態における雌ネジタイプの固定部材の構成を示す斜視図、正面図および上面図である。
【図１０】他の実施の形態における雌ネジタイプの固定部材が背面板の取付部に取り付けられた状態を示す斜視図である。
【図１１】他の実施の形態における磁石タイプの固定部材が背面板の取付部に取り付けられた状態を示す斜視図である。
【図１２】従来のパネル計器の構成を示す斜視図である。
【発明を実施するための形態】
【００１８】
以下、図面を参照しながら本発明の実施の形態について説明する。
【００１９】
＜第１の実施の形態におけるパネル計器の構成＞
本発明の第１の実施の形態に係るパネル計器は、当該パネル計器のインタフェース部がパネルの前面に固定されるものである。
【００２０】
図１乃至図４に示すように、第１の実施の形態において、インタフェース部１は、所定の厚さを有する平面視矩形状の板状部材である。このインタフェース部１の正面２ａには、各種情報を表示する表示部３、および、ユーザの操作入力を受け付ける複数のボタンからなる操作部４が設けられている。なお、インタフェース部１は、図示しない本体部と分離されており、当該本体部はパネル２０が取り付けられた制御盤の内部に収納されている。
【００２１】
図１および図２に示すように、インタフェース部１の４つの側壁部材のうち、正面２ａに向かって右側の側壁部材を右側壁部材２ｃ、左側の側壁部材を左側壁部材２ｄ、水平方向に沿った上方の側壁部材を上側壁部材２ｅ、下方の側壁部材を下側壁部材２ｆとする。
【００２２】
パネル２０は、インタフェース部１よりも大きな面積を有する平面視矩形の板状部材であり、インタフェース部１よりも薄く形成されている。このパネル２０には、円形状の開口２１が設けられている。また、インタフェース部１を固定するための固定用孔２２、２３が開口２１の左右両側に設けられている。
【００２３】
パネル２０において、インタフェース部１を取り付ける面を前面２０ａ、反対側の面を背面２０ｂとする。また、その前面２０ａに向かって、上側の水平な辺を上辺２０ｃ、下側の水平な辺を下辺２０ｄ、左右の鉛直方向に沿った右側の辺を右辺２０ｅ、左側の辺を左辺２０ｆとする。
【００２４】
＜インタフェース部の構造＞
パネル２０の前面２０ａと対向するインタフェース部１の背面側には、インタフェース部１の正面２ａとほぼ同じ大きさを有し平面視略正方形の板状部材からなる背面板６が設けられている。この背面板６の周辺部は、インタフェース部１の右側壁部材２ｃ、左側壁部材２ｄ、上側壁部材２ｅおよび下側壁部材２ｆの端面に接着剤等によって固定されている。
【００２５】
背面板６のほぼ中央には、開口７が設けられている。インタフェース部１の内部には、表示部３および操作部４と接続された回路基板９が収納されている。背面板６は、インタフェース部１に収納された回路基板９と接触することなく、当該回路基板９の面から離間した位置において回路基板９と平行に配置されている。
【００２６】
回路基板９のほぼ中央には、コネクタ８が取り付けられている。このコネクタ８は、回路基板９に実装されたインタフェース部１の表示部３および操作部４と電気的に接続される一方、背面板６の開口７から回路基板９の一部とともに露出する。
【００２７】
このコネクタ８には、インタフェース部１がパネル２０の前面２０ａに固定された状態においても、背面板６の開口７とパネル２０の開口２１とが対向することによって、パネル２０の背面２０ｂ側から容易にアクセスすることができる。
【００２８】
したがって、パネル２０の開口２１は、インタフェース部１よりも小さく形成されるものの、当該コネクタ８と干渉することのないように、インタフェース部１の背面板６の開口７と同等の大きさで、当該コネクタ８よりも十分に大きく形成されている。
【００２９】
コネクタ８には、例えばＵＳＢ(Universal Serial Bus)ケーブルおよびＬＡＮ(Local Area Network)ケーブルの差込口が設けられている。したがってインタフェース部１のコネクタ８は、図示ないＵＳＢケーブルおよびＬＡＮケーブルを介して制御盤の内部に収納されている本体部（図示せず）と電気的に接続される。
【００３０】
なお、本体部とインタフェース部１とをコネクタ８およびケーブルを介して有線接続するのではなく、本体部とインタフェース部とをBluetooth（登録商標）や無線ＬＡＮ(Local Area Network)等の無線通信方式により無線接続することも可能である。
【００３１】
この背面板６（図３（Ａ））に設けられた開口７と、当該背面板６の外周端との間には、所定の寸法以上のマージンが設けられている。
【００３２】
第１の実施の形態における背面板６では、開口７の開口周縁部を規定する内側右側壁６ｃ、内側左側壁６ｄ、内側右側壁６ｃおよび内側左側壁６ｄと繋がった上側弧状壁６ｅおよび下側弧状壁６ｆを有している。内側右側壁６ｃおよび内側左側壁６ｄは互いに対向している。
【００３３】
背面板６の開口７の内側右側壁６ｃおよび内側左側壁６ｄには、平面視Ｕ字状の切欠部１１、１３が形成されている。切欠部１１、１３は同一構造であり、同じ大きさの開口および奥行きを有している。切欠部１１、１３の開口は、後述する固定部材３０の雄ネジ部３２（図４）の直径よりも大きく設定されている。
【００３４】
また、背面板６の背面６ｚ上には、切欠部１１を両側から挟むように断面Ｌ字状の支持片１０ａ、１０ｂが設けられている。この支持片１０ａ、１０ｂは、内側右側壁６ｄから背面板６の外周端に向かって延設され、切欠部１１の中心線に対して線対称に構成されている。
【００３５】
また、支持片１０ａ、１０ｂの背面板６に対してそれぞれ垂直な内側壁面の間隔ｗ２は、固定部材３０の基部３１の幅よりも僅かに大きく形成されている。背面板６の背面６ｚと、当該背面６ｚに対向する支持片１０ａ、１０ｂの面との間隔ｈは、固定部材３０の基部３１の厚さよりも僅かに大きく形成されている。この支持片１０ａ、１０ｂにより固定部材３０を着脱自在に取り付けるための取付部１０が構成される。なお、背面板６の切欠部１３に対しても取付部１０と同一構造の取付部１２が設けられている。
【００３６】
この取付部１０、１２に２つの固定部材３０が取り付けられたときの当該２つの固定部材３０同士の距離は、パネル２０に設けられた固定用孔２２、２３間の距離と等しくなるように、開口７および切欠部１１、１３の大きさが設定されている。
【００３７】
＜固定部材の構造＞
固定部材３０は、図４に示すように、平面視長方形状の板状部材からなる基部３１と、当該基部３１に対して垂直方向へ設けられた円筒状部材からなる雄ネジ部３２とによって構成されている。
【００３８】
基部３１の長手方向の幅ｗ１は、インタフェース部１の背面板６に設けられた取付部１０の支持部１０ａと支持部１０ｂとの間隔ｗ２（図３（Ｂ））よりも僅かに小さく設定されている。基部３１の厚さは、背面板６の背面６ｚと、当該背面６ｚに対向する支持片１０ａ、１０ｂの面との間隔ｈよりも僅かに小さく形成されている。雄ネジ部３２の外径は切欠部１１、１３の開口よりも僅かに小さく形成されている。
【００３９】
背面板６の表面６ａの外周側周縁部には、背面板６と同様に平面視矩形状のガスケット５が取り付けられている。したがって、インタフェース部１がパネル２０の前面２０ａに取り付けられた際、背面板６とパネル２０の前面２０ａとの隙間がガスケット５により埋められて密閉される。
【００４０】
＜固定方法＞
次に、インタフェース部１をパネル２０の前面２０ａに固定する固定方法を説明する。最初に、図３に示したように、インタフェース部１における背面板６の取付部１０、１２に対し、開口７から切欠部１１、１３に沿って固定部材３０の基部３１をスライドさせながら雄ネジ部３２を切欠部１１、１３の中に押し込む。
【００４１】
このインタフェース部１の背面板６をパネル２０の前面２０ａに向い合せた状態で、２つの固定部材３０の雄ネジ部３２をパネル２０の固定用孔２２、２３に挿入する。このとき、２つの固定部材３０の雄ネジ部３２がパネル２０の固定用孔２２、２３を貫通して当該パネル２０の背面２０ｂから突出するとともに、コネクタ８についてもパネル２０の開口２１を介して貫通し背面２０ｂから突出する。
【００４２】
これにより、図５（Ａ）および図６（Ａ）に示すように、パネル２０の前面２０ａに対してインタフェース部１が正確に位置決めされる。この状態において、図５（Ｂ）および図６（Ｂ）に示すように、２つの固定部材３０の雄ネジ部３２に対して固定具としてのナット３３によりパネル２０を締め付ける。
【００４３】
これにより、インタフェース部１のケース６の表面６ａとナット３３との間にパネル２０が挟み付けられるため、インタフェース部１がパネル２０の前面２０ａに対して強固に密着固定される。
【００４４】
このとき、インタフェース部１における背面板６とパネル２０の前面２０ａとの隙間がガスケット５により埋められて密閉されるので、固定部材３０とは無関係に防水構造とすることができる。
【００４５】
＜効果＞
このようにインタフェース部１では、背面板６の取付部１０、１２を介して２つの固定部材３０を当該背面板６に着脱自在に取り付けるようにした。これにより、パネル２０の厚さが大幅に厚くなった場合には、その厚さに応じた長さの雄ネジ部３２を有する固定部材３０に交換して背面板６の取付部１０、１２に取り付ければ、固定用孔２２、２３を貫通してパネル２０の背面２０ｂから突出した雄ネジ部３２をナット３３により締め付けることによりインタフェース部１をパネル２０に密着固定することができる。
【００４６】
つまり、パネル２０の厚さに応じた長さの雄ネジ部３２を有する固定部材３０を取付部１０、１２に取り付ければ、どのような厚さのパネル２０に対してもインタフェース部１を容易に固定することができる。
【００４７】
このとき、インタフェース部１では、従来のような構造の取付器具１１０（図１２）を用いる必要がないため、パネル２０の背面２０ｂから飛び出した雄ネジ部３２に対してナット３３を締め付けるだけのスペースだけがあれば十分であり、従来よりも奥行き方向において格段に薄型化することができる。
【００４８】
さらに、インタフェース部１をパネル２０の前面２０ａに固定する場合、２つの雄ネジ部３２をパネル２０の固定用孔２２、２３に貫通させるだけで正確かつ容易に位置決めさせることができるので、パネル２０の開口２１に対してコネクタ８を位置決めする必要がなく容易かつ正確に固定することができる。
【００４９】
また、背面板６の外周端よりも内側の領域に形成された開口７を規定する右側壁６ｃおよび左側壁６ｄに設けられた取付部１０、１２に対して２つの固定部材３０が取り付けられるため、当該２つの固定部３０が背面板６の外周端から突出することがない。これにより、デザイン性が損なわれることを回避しながら、当該インタフェース部１同士を上下左右に重ねた状態でパネルに取り付ける密着計装を実現することができる。
【００５０】
さらに、従来のように、インタフェース部１の外形寸法に合わせた大きさの開口を有するパネルを用意し、当該インタフェース部１を開口に挿入して固定する必要がないため、任意の大きさおよび形状のインタフェース部１をパネル２０に対して容易に固定することができる。
【００５１】
＜第２の実施の形態におけるパネル計器の構成＞
図７に示すように、第２の実施の形態においては、インタフェース部４０は、第１の実施の形態と同様、開口２１の形成されたパネル２０の前面２０ａに固定される。このインタフェース部４０においても、図示しない本体部と分離されている。なお、第２の実施の形態において、図７に示されたガスケット５、コネクタ８等の同一の構成要素には同一の符号を用い、その詳細な説明は省略する。
【００５２】
この場合、インタフェース部４０の背面側には、第１の実施の形態における背面板６と同じ大きさおよび形状の板状部材でなる背面板４６が固定されている。この背面板４６のほぼ中央には、矩形状に形成された開口４７が設けられている。
【００５３】
インタフェース部４０の内部には、インタフェース部１と同様に表示部３および操作部４と接続された回路基板９が収納されている。背面板４６は、インタフェース部１に収納された回路基板９と接触することなく、当該回路基板９の面から離間した位置において回路基板９と平行に配設されている。
【００５４】
この背面板４６に設けられた開口４７と、当該背面板４６の外周端との間には、所定の寸法以上のマージンが設けられており、背面板４６の外周端にまで開口４７が到達することはない。
【００５５】
背面板４６に設けられた開口４７の開口周縁部には、第１の実施の形態における切欠部１１、１３と同一構造でなる４つの切欠部が形成されている。また、背面板４６の開口４７の周縁の背面（背面板６の背面６ｚに相当）には、第１の実施の形態における取付部１０、１２と同一構造の取付部４１乃至４４が形成されている。
【００５６】
このインタフェース部４０では、背面板４６の取付部４１、４２に対して雄ネジタイプの固定部材３０が取り付けられているとともに、取付部４３、４４に対して磁石タイプの固定部材３６、３６が取り付けられている。
【００５７】
図８に示すように、磁石タイプの固定部材３６は、固定部材３０の基部３１と同一構造を有する平面視長方形状の板状部材からなる基部３６と、当該基部３６に対して垂直方向に設けられた円筒状部材からなる磁石部３８によって構成されている。
【００５８】
磁石タイプの固定部材３６は、背面板４６の取付部４３、４４に取り付けられたとき、磁石部３８が背面板４６の表面４６ａから突出することがなく、背面板４６の表面４６ａと面一となる高さに設定されている。したがって、磁石部３８の磁石面だけが切欠部を介して背面板４６の表面４６に露出される。
【００５９】
磁石タイプの固定部材３６の基部３６の長手方向の幅は、インタフェース部４０の背面板４６に設けられた取付部４３、４４の幅よりも僅かに小さく設定されている。磁石部３８の外径は、背面板４６の切欠部の開口よりも僅かに小さく形成されている。
【００６０】
このインタフェース部４０では、磁石タイプの固定部材３６によりパネル２０の表面２０ａに仮止め固定することができるとともに、その後、雄ネジタイプの固定部材３３により最終的に本固定することができる。かくして、パネル２０に対してインタフェース部４０を取り付けたり取り外す場合には、磁石タイプの固定部材３６だけを用いて仮止め固定し、最終的に本固定する場合には磁石タイプの固定部材３６に加えて雄ネジタイプの固定部材３３により本固定すれば良い。
【００６１】
＜他の実施の形態＞
なお、上述した第１の実施の形態においては、基部３１に雄ネジ部３２が垂直に設けられた雄ネジタイプの固定部材３０を用いるようにした場合について述べたが、本発明はこれに限らず、図８に示したように、基部３７に磁石部３８が垂直に設けられた磁石タイプの固定部材３６を用いしたり、図９に示すように、雌ネジタイプの固定部材３３を用いるようにしても良い。
【００６２】
雌ネジタイプの固定部材３３は、固定部材３０の基部３１と同一構造を有する平面視長方形状の板状部材でなる基部３４と、当該基部３４に対して垂直方向に設けられた円筒状部材からなる雌ネジ部３５によって構成されている。
【００６３】
この雌ネジタイプの固定部材３３および磁石タイプの固定部材３６は、背面板６の取付部１０、１２に取り付けられたとき、雌ネジ部３５および磁石部３８が背面板６の表面６ａから突出することがなく、背面板６の表面６ａと面一となる高さに設定されている。
【００６４】
図１０に示すように、雌ネジタイプの固定部材３３を用いた場合、雌ネジ部３５に対応した雄ネジ部を有するボルトを用いればよい。このとき、パネル２０の厚さに応じた長さの雄ネジ部のボルトを用いれば、第１の実施の形態と同様に、どのような厚さのパネル２０に対してもインタフェース部１を容易に固定することができる。
【００６５】
図１１に示すように、磁石ジタイプの固定部材３６を用いた場合、パネル２０が金属製であれば、その前面２０ａにインタフェース部１の背面板６を固定部材３６により直接密着固定することができるので、どのような厚さのパネル２０に対してもインタフェース部１を容易に固定することができる。
【００６６】
さらに、上述した第２の実施の形態においては、基部３１に雄ネジ部３２が垂直に設けられた雄ネジタイプの固定部材３０を用いるようにした場合について述べたが、本発明はこれに限らず、背面板４６の取付部４１、４２に対して雄ネジタイプの固定部材３０を用いる代わりに、雌ネジタイプの固定部材３３を用いるようにしても良い。また、取付部４１乃至４４に対して全て雄ネジタイプの固定部材３０を用いたり、全て雌ネジタイプの固定部材３３を用いたり、全て磁石タイプの固定部材３６を用いるようにしてもよい。
【符号の説明】
【００６７】
１、４０……インタフェース部、３……表示部、４……操作部、５……ガスケット、６、４６……背面板、７、４７……開口、８……コネクタ、９……回路基板、１０、１２、４１〜４４……取付部、２０……パネル、２１……開口、２２、２３……固定用孔、３０、３３、３６……固定部材。
【図１】
2016114369.tif 000003
【図２】
2016114369.tif 000004
【図３】
2016114369.tif 000005
【図４】
2016114369.tif 000006
【図５】
2016114369.tif 000007
【図６】
2016114369.tif 000008
【図８】
2016114369.tif 000009
【図９】
2016114369.tif 000010
【図１０】
2016114369.tif 000011
【図１１】
2016114369.tif 000012
【図１２】
2016114369.tif 000013
【図７】
2016114369.tif 000014